(57)【要約】【課題】現存のおにぎりケースは収納できるおにぎり数が１から数個までであり多数のおにぎりを一度に運搬するケースは現状ではなかった。多数のおにぎり運搬時には汎用のタッパー等を用いる事が通常であったが、充填されない空間ができ運搬中の衝撃等でおにぎりの形状を維持するのが困難であり、おにぎり数減少時も形状は変化しないため運搬時の容積を減少させることはできなかった。ラップフィルムやアルミホイルなどの食品包装用シートも用いられがちであるが、耐久性の無い素材のため他の積載物に圧迫されるなどすると、おにぎりの形状を保持するのが困難であった。【解決手段】簡易的に組み立てる事の出来る複数おにぎり運搬用組み立て式容器の考案。多数のおにぎりを一度に形状を維持したまま運搬でき、おにぎり減少時も組み立て形状を変化させる事で不要な容積を減少させ、その後の運搬や収納を容易にした。【選択図】図１
2012166807.tif 000002
【特許請求の範囲】
【請求項１】
５個から１５個の三角おにぎりの形状を保ちながら運搬することのできる簡易的組み立て式を特徴とする複数おにぎり運搬用組み立て式容器。
【請求項２】
おにぎりの個数にあわせて形態を変化させる事で空間となった容積を減少させることを特徴とする請求項１記載の複数おにぎり運搬用組み立て式容器。
【発明の詳細な説明】
【技術分野】
【０００１】
この発明は、複数の三角おにぎりの持ち運び時に使用する組み立て式簡易形容器に関する。
【背景技術】
【０００２】
従来のおにぎりケースは図４または図５のようにおにぎりを１から数個入れる事の出来る形状の固定されたケースである。
【先行技術文献】
【特許文献】
【０００３】
【特許文献１】特開２０００−３２７０６４号公報
【特許文献２】実用新案登録第３１５４４１３号公報
【発明の概要】
【発明が解決しようとする課題】
【０００４】
しかしながら、以上の技術によれば、持ち運べるおにぎりの個数が数個までであり、また、おにぎりを取り出した後も容器の形状が維持されるため、おにぎり取り出し後も同様の容積を必要とした。
そこで、この発明は、一度に多数のおにぎりを運搬でき、おにぎりを取り出した後は折りたたむことで容積を減少させ、運搬を容易にする組み立て式の容器を提供することを課題とする。
【課題を解決するための手段】
【０００５】
以上の課題を解決するために、第一発明は、５個から１５個のおにぎりを一度に運搬するために適度な耐久性と柔軟性を備えた素材（プラスチックまたはシリコンなど）に折り目をつけた簡易的に組み立てる事の出来ることを特徴とするおにぎり運搬容器である。
また、第二発明は、残存するおにぎりの数にあわせて形状を変化させる、またはおにぎりを完全に取り出し後は扁平上に折りたたむ事で容積を減少させ、運搬を容易にすることを特徴とする複数おにぎり運搬用組み立て式容器である。
【発明の効果】
【０００６】
第一発明、または第二発明によれば、５個から１５個のおにぎりが、形状を維持したまま運搬でき、おにぎりを取り出した後は、残ったおにぎりの個数にあわせて形状を変化させ、またはおにぎりがなくなった後は扁平状に折りたたんで保管する事で無駄な容積を省くことができ、持ち運びやすくなった。
【図面の簡単な説明】
【０００７】
【図１】この発明の一実施形態を示す平面図である。
【図２】この発明の一実施形態を示す平面図である。
【図３】この発明の一実施形態を示す斜視図である。
【図４】従来技術を示す平面図である。
【図５】従来技術を示す平面図である。
【発明を実施するための形態】
【０００８】
この発明の一実施形態を、図１に示す。
おにぎり運搬組み立て式容器の本体は適度の耐熱・耐久・耐水性を持ったプラスチックまたはシリコンなどの素材、または耐水加工した紙などが好ましく、通常は一枚の本体シートと２枚の仕切り用シートからなる。また止め具として両端部に細い棒状の金属を取り付けたゴムひもを用いる。この本体の直線２―５、９―１２及び２―９、３―１０、４―１１、５―１２、６―１３では本体平面を内側へ折りたたむ事ができるように折れ目がついている。おにぎりが３列分あった場合には底面が点線状になるように（図２−（オ））平面（b）、（c）、（d）に適宜並べていく。直線２−９で平面（a）と（b）の角度が約60度となる様折り曲げ、平面（g）及び（j）も内側へ折り込み、角度を約90度とする。突起２１を切れ込み２７に挿入し突起２４も切れ込み２８に挿入する事で、形状を保持する。仕切り用シートを平面（b）（c）の間及び（c）（d）間に立てかけ、折れ目３−１０、４−１１、で約60度の角度に折り曲げ、折れ目３−４、４−５、１０−１１、１１−１２で平面(h)(i)(k)(l)を内側へ折り込み角度を約９０度とする。
【０００９】
対応する突起２２と仕切り用シートの切れ込み３９、２５と４０、２３と４１、２６と４２をそれぞれに挿入することで立体的形状を維持させる。平面（e）を（d）に向け、折れ目５−１２で折り込み、付属品（エ）の片方の金具部分（４４または４５）を穴２９または３０に挿入し、平面（ｆ）と平行になるようにすることで穴に引っかかり抜けないようにし、立体となっているおにぎり運搬用シートの外周を適宜数週し、もう一方の穴（２９または３０）に付属品のもう一端の金具（４４または４５）を挿入、先ほどと同じように穴に引っ掛けることで、おにぎり運搬シートの立体形状を保持する補助をする（図２の（カ））。
【００１０】
おにぎりが２列分の場合は、上記３列分の時同様に立体にしていくが、平面（ｃ）（ｄ）間の仕切り用シートははずすなどする（そのままでも良い）。平面（ｄ）にはおにぎりが無い状態なので平面（i）と（ｌ）は完全に内側へ折り込み、平面（ｃ）上のおにぎりの平面（ｄ）側の側面と接する状態となり、（e）は（a）と、（ｆ）は（ｂ）と接する状態となる（図２の（キ））。おにぎり１列分の場合はさらに平面（b）（ｃ）間の仕切り用シートをはずすなどし（そのままでもよい）、（ｈ）および（ｋ）も完全に内側へ折り込み、（ｃ）は（ｂ）のおにぎりの（ｃ）側面と接し、（ｄ）が（a）、（e）が（ｂ）、（ｆ）が（ｃ）と接する状態となる（図２の（ク））。おにぎりが完全に無くなった場合は、すべての三角状の平面を内側に完全に折り込み、仕切り用シートを内側にしまいこむようにして、長方形平面（ｂ）（ｃ）（ｄ）（e）（ｆ）も完全に折りたたんでいくと、長方形の扁平状の形態となる（図２の（ケ））。
【００１１】
いずれの場合も止め具を使用して形状の保持の補助をする。おにぎりがひとつも無くなり完全に折りたたむときを考慮し、平面（a）の１−２及び８−９間の長さをｐ（ｐは数から十数センチメートル）とした場合、平面（ｂ）（ｃ）（ｄ）（e）の対応する辺の長さはｑ（ｑは数ミリメートル）ずつ累積で長くする。すなわち２−３、９−１０の長さはｐ＋ｑ、３−４、１０−１１はｐ＋２ｑ、４−５、１１−１２はｐ＋３ｑ、５−６、１２−１３はｐ＋４ｑとすることで、完全折りたたみ平面状にしたときに無理の無い形状となるようにする。仕切り用シートの３１−３２、３３−３４、３５−３６、３７−３８の長さは（a）と同様のpとする。 
【００１２】
この実施形態によれば、多数のおにぎりを最小限の容積で運搬でき、素材も適度な耐久性を有するため三角おにぎりの形状が保持することができるようになった。また、おにぎりの数が減少または無くなった場合にも、その個数に合わせて形状を変化させる事で不要な容積を減少させることができ、その後の運搬を容易にすることができた。
他の実施形態としては、
図１の実施形態では、おにぎりは最大３列分収納することができるが、他の実施形態では、おにぎりを置く平面とその平面に付随する三角平面及び突起を増設したシートを作成、仕切り用シートも増設する事で、最大６列まで収納できるようにしたものでも良い。
【符号の説明】
【００１３】
図１−（ア）  本体
図１−（イ）  仕切り用シート（１枚目）
図１−（ウ）  仕切り用シート（２枚目）
図１−（エ）  止め具
−１〜２０  本体シート部
−２１〜２６  差込用突起部
−２７、２８  本体切れ込み
−３１〜３４及び３５〜３８  仕切り用シート部
−３９〜４２  仕切り用シート切れ込み
−４３  止め具ゴムひも部
−４４、４５  止め具金具部
図２−（オ）  おにぎり配置位置
図３−（カ）  ３列使用時
−（キ）  ２列使用時
−（ク）  １列使用時
−（ケ）  完全折りたたみ時
図４    先行技術図
図５    先行技術図
【図２】
2012166807.tif 000003
【図３】
2012166807.tif 000004
【図４】
2012166807.tif 000005
【図５】
2012166807.tif 000006
【図１】
2012166807.tif 000007